(57)【特許請求の範囲】
【請求項１】
地下埋設物(51)の周囲で舗装版(P)の路面から該舗装版(P)を貫通しない切断溝(2a)を形成し、前記地下埋設物(51)の上方に配置したフレーム(11)の基部(12)を前記地下埋設物(51)の周囲で路面に臨ませ、反力ロッド(4)の先端を地下埋設物(51)に係合した状態で、前記フレーム(11)に設けられたジャッキ(3)で反力ロッド(4)を引き上げることにより、前記地下埋設物(51)と該地下埋設物(51)に一体化された切断舗装版(Px)を同時に引き上げ撤去することを特徴とする地下埋設物撤去方法。
【請求項２】
切断溝(2a)を路面から下向きで且つ内側に傾斜するように形成することを特徴とする請求項１に記載の地下埋設物撤去方法。
【発明の詳細な説明】
【０００１】
【発明が属する技術分野】
本発明は、マンホールの受枠等の地下埋設物の撤去方法に関する。
【０００２】
【従来の技術】
道路に設置されたマンホール構造物は長年の使用により歪みが生じ材料強度が劣化して老朽化する。老朽化したマンホール構造物は、交換、補修が行われる。
【０００３】
マンホール構造物の修繕維持工法として、舗装版を円形カッターを回転させて切断し、マンホールの蓋の受枠の撤去交換を短時間で行う工法（特公昭６３−５５５６２号）がある。
【０００４】
【発明が解決しようとする課題】
舗装版の切断時の低騒音化および迅速化、復旧した舗装版と旧舗装版の一体化を高めることが要求されてきている。引き抜き機は、騒音を発生しないが、舗装版を引き剥がすように撤去するため、切断面が断裂状で一様でなく、舗装版の復旧に手間取り、復旧舗装版と旧舗装版との一体化が十分でなく交通開放後に変形しやすいという問題があった。
【０００５】
本発明の目的は、舗装版の切断を低騒音でかつ迅速に行い、切断面が一様であり、復旧した舗装版と旧舗装版が一体化され、交通開放後路面に変形が起こらないようにすることである。
【０００６】
【課題を解決するための手段】
そこで、本発明の地下埋設物撤去方法が手段として構成したところは、地下埋設物５１の周囲で舗装版Ｐの路面から該舗装版Ｐを貫通しない切断溝２ａを形成し、前記地下埋設物５１の上方に配置したフレーム１１の基部１２を前記地下埋設物５１の周囲で路面に臨ませ、反力ロッド４の先端を地下埋設物５１に係合した状態で、前記フレーム１１に設けられたジャッキ３で反力ロッド４を引き上げることにより、前記地下埋設物５１と該地下埋設物５１に一体化された切断舗装版Ｐｘを同時に引き上げ撤去する点にある。
【０００７】
本発明の好ましい実施例において、舗装版の切断工程を低騒音とするため切断刃を舗装版に圧入して切断するように構成され、その際、切断刃を内側に傾斜させることにより舗装版へ圧入し易くなるように構成するのが良い。これによれば、切断面が傾斜面となるので復旧舗装版と旧舗装版の一体性を高めることができる。さらに、切断刃の圧入時に振動及び／または揺動を加えれば、舗装版の切断が容易となる。切断刃を三角歯としたり、歯を間隔をあけて設けたものとすれば、舗装版に食い込み易くなる。しかしながら、本発明が実施例の構成に限定されないことは勿論である。
【０００８】
【発明の実施の形態】
図１は、本発明に使用する圧入装置１と切断刃２の断面図である。
【０００９】
切断刃２は、円形であり、圧入力を受けるフランジ２１が上部に設けてある。切断刃２は、内向きに傾斜しており、テーパーが付けられており、図３（Ａ）に示すような構成とする他、図３（Ｂ）に示すように、先端部に三角形の歯２２を連続して設けても良い。歯の形状は、図３（Ｃ）に示すように、四角形、台形など適宜の形状としても良い。歯の部分だけ超高合金製として切断刃を構成して、歯の摩耗を軽減することが好ましい。
【００１０】
圧入装置１はフレーム１１と中央に設けられたセンターホールジャッキ３及び反力ロッド４からなる。フレーム１１は円形の基部１２と上フレーム１３を連結する脚１４から構成される。
【００１１】
反力ロッド４は、先端に破断装置４１が設けてある。破断装置４１は、図例の場合、十字型で先端が楔形状であり、横方向に伸縮することにより、撤去すべき地下埋設物５１、例えばマンホール５の蓋（図示省略）の受枠５１の下側に食い込む。
【００１２】
または、反力ロッド４の先端に、地下埋設物５１の内壁面に係合する係合具を設けても良く、このような係合具または破断装置４１は、切断刃２の圧入時の反力を地下埋設物５１に取る。反力ロッド４は地下埋設物５１の埋設深さに対応できるように伸縮自在に構成しても良いが、図例の場合、延長用のカップラー４２が設けられている。
【００１３】
さらに詳しくマンホール５の受枠５１を撤去する場合について図１及び図２に基づき説明する。切断刃２を撤去すべき受枠５１を含むマンホール５を包囲するように設置し、圧入装置１を切断刃のフランジ２１に載せる。反力ロッド４をマンホール内におろし、先端の破断装置４１を横方向に延ばし、先端を撤去すべき受枠５１の下側に食い込ませ、切断刃２の圧入時の反力をマンホールに取る。
【００１４】
圧入装置１のセンターホールジャッキ３を作動させ、反力ロッド４を上方向に引き上げると切断刃２は路面から舗装版Ｐに貫入していく。破断装置４１が受枠５１に食い込んでいるので受枠５１から反力が得られる。切断刃２が内側に傾斜しており、内側の舗装版Ｐを上方に押し上げるので貫入が容易である。図１に示すように、舗装版Ｐの厚さＴに対して、フランジ２１から下方に延びる切断刃２の長さＬは、Ｔ＞Ｌとなるように形成されている。
【００１５】
さらに、圧入を続けると舗装版Ｐが、図２に示すように切断され、傾斜した切断溝２ａによる切断面が得られる。上述のように、舗装版Ｐの厚さＴと、切断刃２の長さＬは、Ｔ＞Ｌであるから、切断溝２ａは舗装版Ｐを貫通しないが、このように舗装版Ｐが切断されると、センターホールジャッキ３による引き上げ力は破断装置４１から受枠５１に伝えられ、受枠５１と切断舗装版Ｐｘとが一体で引き上げられ、撤去される。
【００１６】
既設の受枠５１の撤去後、マンホール周縁を清掃し、高さ調整材で新しい受枠の設置位置を調整する。高さの微調整は、急硬性樹脂コンクリートを充填する時に、調整材の上面に位置する樹脂コンクリートの厚さでおこなう。
【００１７】
このように、切断・撤去工程で舗装版Ｐが撤去された跡に形成されるリング状空間を急硬性樹脂コンクリートで舗装し、円弧転圧機で転圧する。
【００１８】
【発明の効果】
請求項１に記載の本発明によれば、地下埋設物５１の周囲で舗装版Ｐの路面に切断溝２ａを形成した状態から、地下埋設物５１と該地下埋設物５１に一体化された切断舗装版Ｐｘを一挙に引き上げ撤去できる。
即ち、地下埋設物５１の上方に配置したフレーム１１の基部１２を地下埋設物５１の周囲で路面に臨ませ、該フレーム１１に設けた反力ロッド４の先端を地下埋設物５１に係合した状態で、ジャッキ３により反力ロッド４を上動させることにより、反力を利用して地下埋設物５１を引き上げる構成であるから、切断溝２ａが舗装版Ｐを貫通していないにもかかわらず、地下埋設物５１と、該地下埋設物５１の周囲の切断舗装版Ｐｘを、一体状態で同時に引き上げ撤去できるという効果がある。
【００１９】
そして、請求項２に記載の本発明によれば、切断溝２ａによる舗装版Ｐの切断面が傾斜面となり、復旧舗装版が旧舗装版の斜面に載るようにして構築されるので、新旧の舗装版が一体化されるという効果がある。
することができ、
【図面の簡単な説明】
【図１】本発明の切断工程を示す断面図である。
【図２】本発明の引き上げ撤去工程を示す断面図である。
【図３】切断刃の各実施例を示す正面図である。
【符号の説明】
Ｐ    舗装版
Ｐｘ  切断舗装版
２    切断刃
２ａ  切断溝
３    ジャッキ
４    反力ロッド
５    マンホール
１２  基部
１４  脚
４１  破断装置
５１  受枠（地下埋設物）
【図１】
0004097098.tif 000002
【図２】
0004097098.tif 000003
【図３】
0004097098.tif 000004